(57)【要約】      （修正有）【課題】ジャケット保持突起に保持させた表表紙以外の裏表紙や冊子の各ページを、ＣＤケースに保持させたまま簡単に見開いて看取可能にするＣＤジャケットを提供する。【解決手段】ＣＤジャケットＡを、中央部で２つ折された表表紙１および裏表紙２から構成し、表表紙１はジャケット保持突起のそれぞれに保持するとともに、裏表紙２にはジャケット保持突起に干渉することがない狭幅部２ａを設けた構成である。【選択図】図１
0003154873.tif 000002
【実用新案登録請求の範囲】
【請求項１】
ＣＤ収納用のケース本体にカバーが開閉自在に設けられ、カバー内側の外周縁に沿って複数のジャヶット保持突起が設けられてなるＣＤケースの、該透明カバー内側の複数のジャケット保持突起によって、カバー側に抱え込むように保持されるＣＤジャケットであって、
中央部で２つ折された表表紙および裏表紙からなり、表表紙は前記ジャケット保持突起のそれぞれに保持されるとともに、裏表紙には前記ジャケット保持突起に干渉することがない狭幅部が設けられてなることを特徴とするＣＤジャケット。
【請求項２】
ＣＤ収納用のケース本体にカバーが開閉自在に設けられ、カバー内側の外周縁に沿って複数のジャヶット保持突起が設けられてなるＣＤケースの、該透明カバー内側の複数のジャケット保持突起によって、カバー側に抱え込むように保持されるＣＤジャケットであって、
中央部で２つ折された表表紙および裏表紙と、同じく中央部で２つ折され、これらの表表紙および裏表紙の上に重畳された１枚以上の冊子部分からなる冊子とを有し、前記表表紙は前記ジャケット保持突起のそれぞれに保持されるとともに、前記裏表紙および冊子は前記ジャケット保持突起に干渉しない狭幅部が設けられ、さらに前記表表紙および裏表紙と冊子とが前記各中央部で共に綴じられていることを特徴とするＣＤジャケット。
【請求項３】
ＣＤ収納用のケース本体にカバーが開閉自在に設けられ、カバー内側の外周縁に沿って複数のジャヶット保持突起が設けられてなるＣＤケースの、該透明カバー内側の複数のジャケット保持突起によって、カバー側に抱え込むように保持されるＣＤジャケットであって、
２列３行となる６つの領域を区画する折り目を持つ矩形のジャケット用紙からなり、各列の中央行の２領域が広幅の表表紙および狭幅の裏表紙とされ、前記裏表紙の列方向の両端に連続する２領域が裏表紙と同幅の冊子部分であり、前記表表紙の列方向の両端に切込みを介して隣接する２領域が前記裏表紙より狭幅の冊子部分であり、前記表表紙、裏表紙およびこの裏表紙に連続する前記冊子部分とが接する前記折り目で前記切込みに連続する切込みが入れられ、前記裏表紙および冊子部分を前記表表紙上に折り重ねた状態にて、該表表紙の幅方向の両端部を前記ジャケット保持突起によって保持されるようにしたことを特徴とするＣＤジャケット。
【請求項４】
ＣＤ収納用のケース本体にカバーが開閉自在に設けられ、カバー内側の外周縁に沿って複数のジャヶット保持突起が設けられてなるＣＤケースの、該透明カバー内側の複数のジャケット保持突起によって、透明カバー側に抱え込むように保持されるＣＤジャケットであって、
中央部で２つ折りされた表表紙および裏表紙が同幅であり、前記裏表紙の幅方向の両端部には、前記ジャケット保持突起に干渉しない幅となるように切り取り可能なミシン目が入れられていることを特徴とするＣＤジャケット。
【考案の詳細な説明】
【技術分野】
【０００１】
本考案は、ＣＤケースにＣＤとともに同梱されるＣＤジャケットに関するものである。
【背景技術】
【０００２】
ＣＤ（コンパクトディスク）は音楽、映像、各種のディジタルデータを記録する記録媒体として広く用いられている。このＣＤは、プラスチック製のＣＤケースに収納された状態にて販売、搬送、取扱いがなされる（例えば、特許文献１を参照）。このＣＤケースはＣＤ収納用のケース本体と透明カバーとからなり、ケース本体の中央部に設けられた円形の収納凹部にＣＤが収納可能になっている。また、透明カバーの内側には音楽や映像の表題や歌詞、或いはいろいろな説明が印刷されたＣＤジャケットが保持される（例えば、特許文献１参照）。
【０００３】
このＣＤジャケットの保持は、透明カバー内側の、幅方向の両端部に突設された２個ずつのジャケット保持突起によって、透明カバーの内面側に抱え込むようになされる。これによりＣＤジャケットの表表紙の表面が透明カバーを通して看取可能になる。また、このＣＤジャケットは、透明カバーの内面側で自由に移動したり脱落したりしないように、前記ジャケット保持突起を有する透明カバーの側片（側板）の内面に略接触するような幅寸法を持つ。
【先行技術文献】
【特許文献】
【０００４】
【特許文献１】特開平８−２３０９６６号公報
【考案の概要】
【考案が解決しようとする課題】
【０００５】
しかしながら、かかる従来のＣＤジャケットは、幅方向の両端部がジャケット保持突起によって、透明カバーの内面側に抱え込むようにして保持されているため、音楽や映像の曲目や題目および歌詞等を読む場合には、これをジャケット保持突起から外し、読み終えたり使用後に、再びこのジャケット保持突起に保持させる必要があり、この作業が極めて面倒であった。また、かかるＣＤジャケットの取り外しと再保持の各作業を繰り返すことによって、このＣＤジャケットが端縁側から傷んでしまい、遂には破損に至る場合があった。
【０００６】
本考案は前記のような従来の問題点に着目してなされたものであり、透明カバー側のジャケット保持突起に対するＣＤジャケット全体の取り外しおよび再保持の操作をなくすることができ、従って表表紙以外の裏表紙や冊子の各ページを簡単に見開いて看取できるローコストのＣＤジャケットを得ることを目的とする。
【課題を解決するための手段】
【０００７】
前述した目的を達成するために、本考案に係るＣＤジャケットは、ＣＤ収納用のケース本体にカバーが開閉自在に設けられ、カバー内側の外周縁に沿って複数のジャケット保持突起が設けられてなるＣＤケースの、該カバー内側の複数のジャケット保持突起によって、カバー内側に抱え込むように保持されるＣＤジャケットであって、中央部で２つ折された表表紙および裏表紙からなり、表表紙は前記ジャケット保持突起のそれぞれに保持されるとともに、裏表紙には前記ジャケット保持突起に干渉することがない狭幅部が設けられてなることを特徴とする。
【０００８】
この構成により、表表紙をカバー内側の前記複数のジャケット保持突起に保持させた状態にて、裏表紙を表表紙との繋ぎ目（折り目）を中心に見開き可能にするため、カバーをケース本体から開いた際には、ジャケットをカバー内側より取り外すことなく表表紙の内面（裏面）と裏表紙の表裏両面を容易に看取することができる。
【０００９】
また、本考案に係るＣＤジャケットは、ＣＤ収納用のケース本体にカバーが開閉自在に設けられ、カバー内側の外周縁に沿って複数のジャヶット保持突起が設けられてなるＣＤケースの、該カバー内側の複数のジャケット保持突起によって、カバー内側に抱え込むように保持されるＣＤジャケットであって、中央部で２つ折された表表紙および裏表紙と、同じく中央部で２つ折され、これらの表表紙および裏表紙の上に重畳された１枚以上の冊子部分からなる冊子とを有し、前記表表紙は前記ジャケット保持突起のそれぞれに保持されるとともに、前記裏表紙および冊子は前記ジャケット保持突起に干渉しなし狭幅部が設けられ、さらに前記表表紙および裏表紙と冊子とが前記各中央部で共に綴じられていることを特徴とする。
【００１０】
この構成により、表表紙はカバー内側の前記複数のジャケット保持突起に保持させたまま、表表紙とともに中心部で閉じられた冊子の各頁と裏表紙の表裏両面をジャケットをカバーより取り外すことなく容易に看取することができる。
【００１１】
また、本考案に係るＣＤジャケットは、ＣＤ収納用のケース本体にカバーが開閉自在に設けられ、カバー内側の外周縁に沿って複数のジャヶット保持突起が設けられてなるＣＤケースの、該カバー内側の複数のジャケット保持突起によって、カバー内側に抱え込むように保持されるＣＤジャケットであって、２列３行となる６つの領域を区画する折り目を持つ矩形のジャケット用紙からなり、各列の中央行の２領域が広幅の表表紙および狭幅の裏表紙とされ、前記裏表紙の列方向の両端に連続する２領域が裏表紙と同幅の冊子部分であり、前記表表紙の列方向の両端に切込みを介して隣接する２領域が前記裏表紙より狭幅の冊子部分であり、前記表表紙、裏表紙およびこの裏表紙に連続する前記冊子部分とが接する前記折り目上で前記切込みに連続する切込みが入れられ、前記裏表紙および冊子部分を前記表表紙上に折り重ねた状態にて、該表表紙の幅方向の両端部を前記ジャケット保持突起によって保持されるようにしたことを特徴とする。
【００１２】
この構成により、表表紙、裏表紙および冊子部分となる６つの領域が重ねられた状態で、表表紙のみをカバーの内側のジャケット保持突起に保持させることができる。従って、表表紙を除いて折り重ねられた冊子の各頁部分および裏表紙を開くことにより、これらに印刷された音楽の曲目や映像の題目および歌詞などをジャケットをカバー内側より取り外すことなく容易に看取することができる。また、折り目に沿って前記６つの領域を重ね合わせれば、これらのすべてを透明カバーの内側に収納または保持させることができる。
【００１３】
また、本考案にかかるＣＤジャケットは、ＣＤ収納用のケース本体にカバーが開閉自在に設けられ、カバー内側の外周縁に沿って複数のジャヶット保持突起が設けられてなるＣＤケースの、該カバー内側の複数のジャケット保持突起によって、カバー内側に抱え込むように保持されるＣＤジャケットであって、中央部で２つ折りされた表表紙および裏表紙が同幅であり、前記裏表紙の幅方向の両端部には、前記ジャケット保持突起に干渉しない幅となるように切り取り可能なミシン目が入れられていることを特徴とする。
【００１４】
この構成により、製品として流通する段階では、裏表紙が表表紙とともにカバー内側のジャケット保持突起に保持される。一方、これらの両端部をミシン目に沿って切り離すと、表表紙を前記ジャケット保持突起に保持させた状態において、裏表紙はそのジャケット保持突起に干渉されることなく自由に見開きすることができる。
従って、ＣＤジャケットに印刷された曲目や歌詞等を看取する場合に、ＣＤジャケットをＣＤケースからいちいち取り外したり、再び装着したりするという面倒な作業がなくなる。また、このＣＤジャケットのＣＤケースに対する脱着時の損傷や破損の発生を確実に回避でき、かかる効果を安価かつ容易に実現できる。
【考案の効果】
【００１５】
本考案によれば、カバー側のジャケット保持突起に対するＣＤジャケット全体の取り外しおよび再保持の作業をなくすることで、ジャケット保持突起に保持させた表表紙以外の裏表紙や冊子部分の各頁を、ジャケットをＣＤケース（カバー内側）より取り外すことなく簡単に見開いて看取できるという効果が得られる。
【図面の簡単な説明】
【００１６】
【図１】本考案の実施形態によるＣＤジャケットを示す斜視図である。
【図２】図１におけるＣＤジャケットの使用例を示す説明図である。
【図３】図２におけるジャケット保持突起付近の拡大斜視図である。
【図４】本考案の他の実施形態によるＣＤジャケットを示す分解斜視図である。
【図５】図４におけるＣＤジャケットの使用例を示す説明図である。
【図６】本考案の他の実施形態によるＣＤジャケットを示す展開斜視図である。
【図７ａ】図６におけるＣＤジャケットの使用例の工程を説明する斜視図である。
【図７ｂ】図７ａの次の工程を示す斜視図である。
【図７ｃ】図７ｂの次の工程を示す斜視図である。
【図７ｄ】図７ｃの次の工程を示す斜視図である。
【図７ｅ】図７ｄの次の工程を示す斜視図である。
【図８】本考案のさらに他の実施形態によるＣＤジャケットを示す展開斜視図である。
【考案を実施するための形態】
【００１７】
以下、本考案の一実施の形態にかかるＣＤジャケットを、図面を参照しながら詳細に説明する。
図１乃至図３は、本実施形態のＣＤジャケットを示す。このＣＤジャケットＡは、適度の硬さを持つジャケット用紙に、音楽の曲目や映像の題目のほか、これに関する説明等が印刷したものからなる。このＣＤジャケットＡは、ＣＤ収納用のケース本体２１に開閉自在に取り付けられた、透明カバー２２の内側に装着される表表紙１と、谷折りによってこの表表紙１に付けられた折り目を介して折り畳み可能に連設された裏表紙２とからなる。
【００１８】
表表紙１は、サイズが例えば１２０ｍｍ×１２０ｍｍであり、裏表紙２は、表表紙１の幅方向の両端部からそれぞれ５ｍｍずつ幅が狭いサイズの１２０ｍｍ×１１０ｍｍの狭幅部２ａとなっている。従って、裏表紙２を折り目を中心に表表紙１上に折り畳んだとき、表表紙１の外形から外にはみ出ることはない。この表表紙１は、後述の透明カバー２２のジャケット保持突起２３によって幅方向の両端部が、抱え込まれるように保持されるサイズとなっている。一方、裏表紙２の幅方向の寸法は、透明カバー２２の内側に装着された状態において、前記ジャケット保持突起２３に対して干渉することがないサイズとなっている。
【００１９】
従って、かかるＣＤジャケットＡは、表表紙１の幅方向の両端部を、図２に示すように、ＣＤ収納用のケース本体２１に開閉自在な透明カバー２２の内側のジャケット保持突起２３と透明カバー２２の内面との間に潜らせるようにして、挿し入れる。これにより、これらのジャケット保持突起２３は表表紙１の幅方向の両端部を抱え込むように保持することとなる。
【００２０】
これらのジャケット保持突起２３は透明カバー２２の幅方向の両端部に連設された側片２２ａに対し直交する方向に起立されている。これにより、表表紙１は透明カバー２２の内側に保持され、容易に位置ずれしたり、脱落したりすることはない。一方、表表紙１に連続する裏表紙２は、これらが連続する部位の折り目Ｌを中心に折り畳むことによって、表表紙１の裏側（内側）に開閉可能および折り重ね可能になっている。図２では表表紙１に対して裏表紙２が半開きの状態を示す。
【００２１】
ＣＤケースのケース本体２１の中央部には、円形のＣＤ収納凹部２４が設けられ、さらにこのＣＤ収納凹部２４の中心部に円形配置された複数のばね状片からなる嵌合部２５が突設されている。この嵌合部２５にＣＤ２６の中心孔を嵌合させるようにして、このＣＤ２６が収納凹部２４の底部に収納保持される。従って、このような２つ折のＣＤジャケットＡは、透明カバー１内側に装着された表表紙１に対し裏表紙２を自由自在に見開いて、表表紙の裏面とともに裏表紙２の表裏両面に印刷された音楽の曲目や映像の題目等を容易に看取できる。
【００２２】
図４および図５は、ＣＤジャケットの他の実施形態を示す。このＣＤジャケットＢは、中央部の折り目Ｌで２つ折された表表紙１および裏表紙２と、同じく中央部の折り目で２つ折りされ、表表紙１および裏表紙２の上に重畳された１枚または複数枚の冊子３部分とを、これらの各折り目でファスナ針等により綴じたものである。ここで、表表紙１はジャケット保持突起２３のそれぞれに保持可能な広幅寸法に形成され、一方、前記裏表紙２および冊子３はジャケット保持突起２３に干渉することがない、表表紙１の幅より狭い狭幅寸法の狭幅部２ａ、３ａとなっている。
【００２３】
従って、かかるＣＤジャケットＢは、表表紙１の幅方向の両端部を、図５に示すように、透明カバー２２のジャケット保持突起２３と透明カバー２２の内面との間に潜らせるようにして、挿し入れる。これにより、これらのジャケット保持突起２３は表表紙１の幅方向の両端部を抱え込むように保持することとなる。
【００２４】
これらのジャケット保持突起２３は透明カバー２２の幅方向の両端部に連設された側片２２ａに対し直交する方向に起立されている。これにより、表表紙１は透明カバー２２の内側において容易に位置ずれしたり、脱落したりすることはない。一方、表表紙１に連続する裏表紙２および冊子３は、これらの折り目Ｌを中心に折り畳むことによって、表表紙１の裏側（内側）に開閉可能および折り重ね可能になる。図５では裏表紙２および冊子３が表表紙１に対して半開きの状態を示す。これによりジャケットＢは、透明カバー２２より取り外さなくても見開きできる。
【００２５】
図６は、ＣＤジャケットの他の実施形態を示す。このＣＤジャケットＣは、全体として矩形のジャケット用紙４を１本の長い折り目Ｌ１と、この折り目Ｌ１に直交する２本の折り目Ｌ２、Ｌ３と、２本の切込みＹ１、Ｙ２とによって２列３行となる６つの領域Ｅ、Ｆ、Ｇ、Ｈ、Ｉ、Ｊに区画したものからなる。ここで、領域Ｉは、他の領域Ｅ、Ｆ、Ｇ、Ｈ、Ｊに比べて広幅であり、この広幅の幅寸法４ａが透明カバー２２の両側片２２ａ間の距離に略近い値となっている。
【００２６】
また、領域Ｆは領域Ｉの幅寸法４ａより小さく、領域Ｅ、Ｇと同一の幅寸法４ｂである。領域Ｈ、Ｊは領域Ｉの広幅サイズ分小さ目の幅寸法４ｃとなっており、幅寸法４ｂよりも更に小さい。また、折り目Ｌ１で分けられた各列の領域Ｅ、Ｆ、Ｇと領域Ｈ、Ｉ、Ｊの長さ方向の寸法４ｄは等しい。
【００２７】
また、切り込みＹ１、Ｙ２は、領域Ｉと領域Ｈとの境界部分、領域Ｉと領域Ｊとの境界部分に設けられ、この切り込みＹ１およびＹ２には連続して領域Ｉと領域Ｅとの境界部分、領域Ｉと領域Ｇの境界部分（折り線Ｌ１に重なる部分）に、少しの切り込みＹ３、Ｙ４が、Ｌ字状に設けられている。そして、最も広幅の領域Ｉは表表紙５、領域Ｆは裏表紙６、領域Ｅ、Ｇ、Ｈ、Ｊはそれぞれ冊子部分７とされる。
【００２８】
このような１枚の矩形のジャケット用紙４からなるＣＤジャケットＣは、次のようにしてＣＤ収納ケースに装着される。まず、用紙４の領域Ｈ、Ｊを、図７ａに示すように折り目Ｌ１を中心にそれぞれ矢印Ｐ方向に折り曲げる。そして、その折り曲げた領域Ｈを領域Ｅ上に、領域Ｊを領域Ｇ上に、図７ｂに示すように、それぞれ重ね合わせる。
【００２９】
続いて、このように重ね合わせた領域Ｈ、Ｅを矢印Ｑ方向に、折り目Ｌ２を中心に折り曲げて、領域Ｆ上に重ね合わせる。また、重ね合わせた領域Ｊ、Ｇを、折り目Ｌ３を中心に矢印Ｒ方向に折り曲げ、矢印Ｑ方向に折り曲げられた領域Ｅ上に、図７ｃに示すように重ね合わせる。そして、このように重ね合わされた５つの領域Ｅ、Ｆ、Ｇ、Ｈ、Ｊを折り目Ｌ１を中心に矢印Ｓ方向に折り曲げ、表表紙５上に重ね合わせる。これにより、６つの領域Ｅ〜Ｊのすべてが表表紙５の領域Ｉ内に収められる。
【００３０】
そこで、このように折り重ねられたＣＤジャケットＣを、ＣＤケースの透明カバー２２の端部から、図７ｄに示すように、透明カバー２２の内側に矢印Ｔ方向に挿し入れ、表表紙５の幅方向の両端部をジャケット保持突起２３の内側に潜らせる。これによりＣＤジャケットＣをその透明カバー２２の内面側に収納、保持させることができる。従って、表表紙５はジャケット保持突起２３によって透明カバー２２の内側に安定保持される。
【００３１】
一方、このように折り重ねられた他の裏表紙６および冊子部分７は、ジャケット保持突起２３に干渉しないサイズ、形状であるため、前記の折り重ね順とは逆の手順の操作によって、透明カバー２２の内側に装着したままで図７ｅに示すように開くことができる。従って、ＣＤジャケットＣの全体をＣＤケースから取り外さなくても、表表紙5の内面と裏表紙６および冊子部分７の各表裏両面の曲目や題目および歌詞などの記述を容易に看取することができる。
【００３２】
図８は、ＣＤジャケットのさらに他の実施形態を示す。このＣＤジャケットＤは、図1に示したＣＤジャケットＡに類似する形態を持ち、製品として流通する段階では、表表紙８および裏表紙９は同幅、同長の同一サイズとなっている。裏表紙９には予め狭幅部９ａを形成する位置に各１本ずつのミシン目１０が施されている。そして、前記同様に、表表紙８の幅は前記ジャケット保持突起２３のそれぞれに保持可能なサイズとされ、裏表紙9の狭幅部９aはそのジャケット保持突起２３のそれぞれに対して干渉することがない幅寸法とされている。
【００３３】
従って、このＣＤジャケットＤをＣＤケースに収納する場合には、ミシン目１０に沿って裏表紙９の幅方向の両端部にある切り取り可能片９ｂ、９ｃを切り離して廃棄し、折り目Ｌに沿って矢印Ｕ方向に折り返し、裏表紙９を表表紙８の上（内側）に折り重ねる。そして、この折り重ねられた状態のＣＤジャケットＤを、矢印Ｖ方向にジャケット保持突起２３の下に潜らせるようにして、透明カバー２２の内側に挿し入れる。
【００３４】
このようにして、透明カバー２２に装着されるＣＤジャケットＤは、表表紙８がジャケット保持突起２３によって保持された状態において、裏表紙９の開閉を自由自在に行うことができる。つまり、ＣＤジャケットＤの全体を従来のようにＣＤケースから外に取り外すことなく、表表紙８および裏表紙９に記載の音楽の曲目や映像の題目および歌詞等の記述を、簡単、迅速に看取することができる。また、かかる効果が得られるＣＤジャケットの構成は簡素であり、ローコストに得られるというメリットがある。なお、裏表紙９上には、同様の構成の冊子が重畳されていてもよい。
【００３５】
このように、本実施形態では，ＣＤジャケットＡを、中央部で２つ折された表表紙１および裏表紙２から構成し、表表紙１はジャケット保持突起２３のそれぞれに保持するとともに、裏表紙２にはジャケット保持突起２３に干渉することがない狭幅部２ａを設けた構成としている。
【００３６】
従って、表表紙１を透明カバー２２のジャケット保持突起２３に４箇所で保持させたまま、裏表紙２を表表紙１との繋ぎ目（折り目）を中心に見開きでき、透明カバー２２をケース本体２１から開いた際には、表表紙１の内面（裏面）と裏表紙２の表裏両面を容易に看取することができる。
【００３７】
また、本実施形態では、ＣＤジャケットＢを、中央部で２つ折された表表紙１および裏表紙２と、同じく中央部で２つ折され、これらの表表紙１および裏表紙２の上に重畳された１枚以上の冊子部分からなる冊子３とを有する構成とし、表表紙１はジャケット保持突起２３のそれぞれに保持させるとともに、裏表紙２および冊子３にはジャケット保持突起２３に干渉しない狭幅部２ａ、３ａを設け、さらに表表紙１および裏表紙２と冊子３とが前記各中央部で共に綴じられるような構成としている。
【００３８】
従って、表表紙１を透明カバー２２のジャケット保持突起２３に４箇所で保持させたまま、表表紙１とともに中心部で閉じられた冊子３と裏表紙２の表裏両面を容易に看取することができる。
【００３９】
また、本実施形態では、２列３行となる６つの領域Ｅ〜Ｊを区画する折り目Ｌ1〜Ｌ３を持つ矩形のジャケット用紙４からなり、各列の中央行の２領域Ｉ、Ｆが広幅の表表紙５および狭幅の裏表紙６とされ、裏表紙６の列方向の両端に連続する２領域Ｅ、Ｇが裏表紙６と同幅の冊子部分７であり、表表紙５の列方向の両端に切込みＹ１、Ｙ２を介して隣接する２領域Ｈ、Ｊが裏表紙６より狭幅の冊子部分７であり、表表紙５、裏表紙６およびこの裏表紙６に連続する冊子部分７とが接する前記折り目で前記切込みＹ１、Ｙ２に連続する切込みＹ３、Ｙ４が入れられ、裏表紙６および冊子部分７を表表紙５上に折り重ねた状態にて、該表表紙５の幅方向の両端部を複数のジャケット保持突起２３によって保持する構成としている。
【００４０】
従って、この構成により、表表紙、裏表紙および冊子部分となる６つの領域が重ねられた状態で、表表紙のみを透明カバーの内側のジャケット保持突起に保持させることができる、従って、表表紙を除いて折り重ねられた冊子部分および裏表紙を開くことにより、これらに印刷された音楽の曲目や映像の題目および歌詞などをＣＤケースに保持させたまま容易に看取することができる。また、折り目に沿って前記６つの領域を重ね合わせれば、これらのすべてを透明カバーの内側に収納または保持させることができる。
【００４１】
また、本実施形態では、中央部で２つ折りされた表表紙８および裏表紙９が同幅で連続し、裏表紙９の幅方向の両端部に、ジャケット保持突起２３に干渉しない幅で切り離し可能なミシン目１０を入れた構成としている。
【００４２】
従って、製品として流通する段階では、裏表紙９が表表紙８とともに透明カバー２２内側のジャケット保持突起２３に保持される。一方、これらの両端部をミシン目に沿って切り離すことにより、表表紙８を前記ジャケット保持突起２３に保持させた状態において、裏表紙９はそのジャケット保持突起によって干渉されることなくそれぞれ自由に見開いて看取することができる。
【産業上の利用可能性】
【００４３】
本考案のＣＤジャケットは、ＣＤとともにＣＤケースに同梱されるＣＤジャケット等に有用である。
【符号の説明】
【００４４】
１、５、８  表表紙
２、６、９  裏表紙
３  冊子
４  用紙
７  冊子部分
１０  ミシン目
Ｅ、Ｆ、Ｇ、Ｈ、Ｉ、Ｊ  領域
２１  ケース本体
２２  透明カバー
２３  ジャケット保持突起
２６  ＣＤ
【図１】
0003154873.tif 000003
【図２】
0003154873.tif 000004
【図３】
0003154873.tif 000005
【図４】
0003154873.tif 000006
【図５】
0003154873.tif 000007
【図６】
0003154873.tif 000008
【図７ａ】
0003154873.tif 000009
【図７ｂ】
0003154873.tif 000010
【図７ｃ】
0003154873.tif 000011
【図７ｄ】
0003154873.tif 000012
【図７ｅ】
0003154873.tif 000013
【図８】
0003154873.tif 000014